(57)【要約】【課題】光源からの光を投影レンズの焦点部分に集光でき、光源と投影レンズの焦点との間の距離を短くして小型化を図ったスポットライトを提供することである。【解決手段】複数個の半導体発光素子が平面的に配列された面状光源２４に対向するようにアパーチャ１６を設ける。アパーチャ１６は面状光源２４からの光を投光する投光開口を有し、投光開口の大きさは面状光源２４の発光部と略同等または発光部よりも小さくなるように形成されている。また、放熱器１５は面状光源２４の発熱を放熱し、レンズ２２ａ、２２ｂは、アパーチャ１６から出射した光を集光して外部に出射する。【選択図】  図１
2009004276.tif 000002
【特許請求の範囲】
【請求項１】
複数個の半導体発光素子が平面的に配列された面状光源と；
前記面状光源に対向するように設けられ、前記面状光源からの光を投光する投光開口を有し、前記投光開口の大きさは前記面状光源の発光部と略同等または発光部よりも小さくなるように形成されたアパーチャと；
前記面状光源の発熱を放熱する放熱器と；
前記アパーチャから出射した光を集光して外部に出射するレンズを有した投影ユニットと；
を備えことを特徴とするスポットライト。
【請求項２】
前記面状光源は、前記半導体発光素子からの光を透過する蛍光体フィルムを有し、前記アパーチャを有する筐体と前記蛍光体フィルムとを熱的に結合させ、前記蛍光体フィルムの発熱を前記筐体に伝熱して放熱することを特徴とする請求項１記載のスポットライト。
【請求項３】
前記面状光源に点灯電源を供給する電源ユニット及び前記面状光源を点灯制御する制御回路ユニットを前記投影ユニットの両側面に設けるとともに、前記面状光源の点灯操作を行う操作ユニットを前記電源ユニットの反対側側面に設けたことを特徴とする請求項１または２記載のスポットライト。
【請求項４】
前記投影ユニットの出射光の光軸を回転軸として前記投影ユニットを回動可能に支持し、前記投影ユニットの縦横の配置を可変としたことを特徴とする請求項１乃至３のいずれか一記載のスポットライト。
【請求項５】
前記放熱器と前記面状光源とは一体となる光源ユニットを形成し、前記光源ユニットは前記投影ユニットに着脱可能に取り付けられることを特徴とする請求項１乃至４のいずれか一記載のスポットライト。
【発明の詳細な説明】
【技術分野】
【０００１】
一般に、劇場やテレビスタジオ等の照明用に使用されるスポットライトの光源には、ハロゲン電球や放電ランプが使用されている。また、光源としてＬＥＤを用いたスポットライトも開発されている。曲面に多数のＬＥＤを光源として配置し、各ＬＥＤの照射ビームを一点に集光させて仮想の単一点光源ユニットを構成し、この光源ユニットとレンズとの位置関係を可変にして被照射面の照度及び照度分布を変化させるようにしたスポットライトがある（例えば、特許文献１参照）。
【０００２】
また、所望の色を得るために白色以外に補色として青緑、橙、赤などの光と混色させ、各ＬＥＤの照射ビームを集中させた投光開口の輪郭（エッジ）をぼかすとともに色むらを抑制するために拡散板を設けたり、フォーカスハンドル及びズームハンドルを設けて、ピントが合っていないところやぼかした場合でも照射ずれが生じないようにしたものがある（例えば、特許文献２参照）。
【０００３】
図１０は従来のＬＥＤを光源とするスポットライトの構成図である。スポットライトは、光源ユニット１１と投影ユニット１２とから構成され、光源ユニットは１１はＬＥＤ光源部１３を収納した光源部筐体１４と、ＬＥＤ光源部１３の発熱を放熱するための放熱器１５とから構成される。光源部筐体１４には疑似光源部となるアパーチャ１６が形成され、ＬＥＤ光源部１３は、そのアパーチャ１６に光ビームが向くように複数個のＬＥＤ１７を配置して構成されている。これにより、ＬＥＤ光源部１３の複数のＬＥＤ１７からの光の集光点がアパーチャ１６の位置となり、これによりアパーチャ１６で疑似光源を形成している。
【０００４】
また、ＬＥＤ光源部１３に点灯電源を供給する電源ユニット１８やＬＥＤ光源部１３を点灯制御する制御回路ユニット１９は、光源部筐体１４の両側面に分散して配置され、スポットライトの点灯操作を行う操作ユニット２０は光源部筐体１４の側面に設けられている。また、アパーチャ１６にはカッターユニット２１が設けられ、このカッターユニット２１を操作することによりアパーチャ１６の形状を変化させることができるようになっている。
【０００５】
一方、投影ユニット１２には、光源ユニット１１からの光を集光して外部に出射する投影レンズ２２ａ、２２ｂが設けられ、調整ハンドル２３ａ、２３ｂで位置調整されて外部に光が照射される。
【特許文献１】特開２００１−３０７５０２号公報（図２、図３）
【特許文献２】特開特開２００５−１５８６９９号公報（図８〜図１２）
【発明の開示】
【発明が解決しようとする課題】
【０００６】
しかし、従来のスポットライトでは、ＬＥＤ光源部１３はアパーチャ１６に光ビームが向くように複数個のＬＥＤ１７を配置して構成されているので、ＬＥＤ光源部１３とアパーチャ１６との間に所定の距離を保つ必要がある。スポットライトでは、投影レンズ２２ａ、２２ｂの焦点部分の明るさにより外部に出射する光の照射照度が決まり、ＬＥＤ光源部１３は投影レンズ２２ａ、２２ｂの焦点部分のなるべく近くに配置した方が焦点部分の明るさは増すが、ＬＥＤ光源部１３とアパーチャ１６との間に所定の距離を保つ必要があるので、照射照度を高めるには限界がある。
【０００７】
ＬＥＤ光源部１３を投影レンズ２２ａ、２２ｂの焦点部分に近づけると、焦点部分へのＬＥＤ光源部１３からの光入射角が大きくなるため、投影レンズ２２ａ、２２ｂへの入射光率が下がる。
【０００８】
本発明の目的は、光源からの光を投影レンズの焦点部分に集光でき、光源と投影レンズの焦点との間の距離を短くして小型化を図ったスポットライトを提供することである。
【課題を解決するための手段】
【０００９】
請求項１の発明に係わるスポットライトは、複数個の半導体発光素子が平面的に配列された面状光源と；前記面状光源に対向するように設けられ、前記面状光源からの光を投光する投光開口を有し、前記投光開口の大きさは前記面状光源の発光部と略同等または発光部よりも小さくなるように形成されたアパーチャと；前記面状光源の発熱を放熱する放熱器と；前記アパーチャから出射した光を集光して外部に出射するレンズを有した投影ユニットと；を備えことを特徴とする。
【００１０】
本発明及び以下の発明において、特に指定しない限り用語の定義及び技術的意味は以下による。
【００１１】
面状光源は、例えば平面の絶縁材上に複数個の半導体発光素子が配列されて形成される。半導体発光素子は、例えば発光ダイオードＬＥＤ、有機ＥＬ(electroluminescence)等である。アパーチャは面状光源に対向するように設けられ、面状光源からの光を投光する投光開口を有する。投光開口の大きさは面状光源の発光部と略同等または発光部よりも小さくなるように形成される。発光部は面状光源から光が出射される部分である。
【００１２】
面状光源はアパーチャの近傍に配置されアパーチャが疑似光源部となる。放熱器は面状光源の発熱を伝熱し放熱フィンより放熱する。投影レンズはアパーチャから離間して設けられ、アパーチャから出射される出射光を集光して外部に出射する。投影レンズは球面レンズや平坦状レンズを含む。また、１個または２個以上のレンズを利用した２群構成のレンズを有する場合も含む。
【００１３】
請求項２の発明に係わるスポットライトは、請求項１の発明において、前記面状光源は、前記半導体発光素子からの光を透過する蛍光体フィルムを有し、前記アパーチャを有する筐体と前記蛍光体フィルムとを熱的に結合させ、前記蛍光体フィルムの発熱を前記筐体に伝熱して放熱することを特徴とする。
【００１４】
蛍光体フィルムは半導体発光素子からの光を透過する。蛍光体フィルムは面状光源に一体的に配置してもよいし面状光源と離間して設けてもよい。
【００１５】
「アパーチャを有する筐体と蛍光体フィルムとを熱的に結合させ」とは、蛍光体フィルムの発熱をアパーチャを有する筐体に伝熱して放熱することをいう。蛍光体フィルムは面状光源の光を透過する際に発熱する。そこで、蛍光体フィルムをアパーチャを有する筐体に熱的に結合させ筐体に伝熱させて筐体から放熱する。
【００１６】
請求項３の発明に係わるスポットライトは、請求項１または２の発明において、前記面状光源に点灯電源を供給する電源ユニット及び前記面状光源を点灯制御する制御回路ユニットを前記投影ユニットの両側面に設けるとともに、前記面状光源の点灯操作を行う操作ユニットを前記電源ユニットの反対側側面に設けたことを特徴とする。
【００１７】
本発明は、面状光源の発熱の影響を緩和するために、電源ユニット及び制御回路ユニットを投影ユニットの両側面に分散して配置するようにしたものである。例えば、電源ユニット及び回路ユニットは投影ユニットの左右の側面に分散配置する。また、面状光源の点灯操作を行う操作ユニットは、例えば電源ユニットとは反対側の側面の斜め下側に配置し、電源ユニットからの発熱の影響を緩和する。
【００１８】
請求項４の発明に係わるスポットライトは、請求項１乃至３のいずれか一記載の発明において、前記投影ユニットの出射光の光軸を回転軸として前記投影ユニットを回動可能に支持し、前記投影ユニットの縦横の配置を可変としたことを特徴とする。
【００１９】
「投影ユニットの出射光の光軸を回転軸として投影ユニットを回動可能に支持し」とは、投影ユニットを左右９０°方向に回動可能に支持することをいう。例えば、投影ユニットと光源ユニットとは固定して取り付け、投影ユニットの筐体または光源ユニットの筐体のいずれかに、筐体を回動自在に支持し吊り下げるアーム部を設け、アーム部の位置を回動させて投影ユニットの縦横の配置を可変とする。
【００２０】
請求項５の発明に係わるスポットライトは、請求項１乃至４のいずれか一記載の発明において、前記放熱器と前記面状光源とは一体となる光源ユニットを形成し、前記光源ユニットは前記投影ユニットに着脱可能に取り付けられることを特徴とする。
【００２１】
本発明は、投影ユニットと光源ユニットとの取り付けを着脱可能にし、発光色、色温度出射光の光形状の異なる光源ユニットへの取り替えを可能としたものである。
【発明の効果】
【００２２】
請求項１の発明によれば、光源を面状光源としてアパーチャで疑似光源部を形成するので投影レンズの焦点部分に集光でき、面状光源と投影レンズの焦点との間の距離を格段に短くできる。従って、スポットライトの小型化が図れる。
【００２３】
請求項２によれば、蛍光体フィルムをアパーチャを有する筐体に伝熱して、蛍光体フィルムと面状光源との放熱を分離しているので、蛍光体フィルムの熱ダメージを軽減でき良好な発光効率を保つことが期待できる。
【００２４】
請求項３の発明によれば、熱に弱い部品で構成される回路制御ユニットや電源ユニットを面状光源から離すことが可能となるので、回路制御ユニットや電源ユニットへの熱的影響を緩和できる。また、操作ユニットを熱源となる電源ユニットの反対側に設けるので操作ユニットに対する熱的影響をも緩和できる。
【００２５】
請求項４の発明によれば、投影ユニットの縦横サイズをユーザー側で可変できるので、設置スペースの広さなどの要求に応じて縦横サイズを選択でき使い勝手が向上する。
【００２６】
請求項５の発明によれば、投影ユニットと光源ユニットとの取り付けを着脱可能としたので、発光色、色温度出射光の光形状の異なる光源ユニットへの取り替えが可能となり、照射光の色温度および照射光形状の選択を容易に行える。
【発明を実施するための最良の形態】
【００２７】
図１は本発明の実施の形態に係わるスポットライトの一例を示す構成図である。以下の説明では、半導体発光素子として発光ダイオードＬＥＤを用いた場合について説明する。
【００２８】
本発明の実施の形態に係わるスポットライトは、図１０に示した従来例に対し、光源ユニット１１のＬＥＤ光源部１３を面状光源２４とし、面状光源２４に点灯電源を供給する電源ユニット１８及び面状光源２４を点灯制御する制御回路ユニット１９を投影ユニット１２の両側面に設けるとともに、面状光源２４の点灯操作を行う操作ユニット２０を電源ユニット１８の反対側側面に設けたものである。また、光源ユニット１１は投影ユニット１２に着脱可能に取り付けられるように形成されている。
【００２９】
図１に示すように、光源ユニット１１のＬＥＤ光源部１３は光源部筐体１４内に形成され、ＬＥＤ光源部１３の面状光源２４は複数個のＬＥＤ１７が平面的に配列され疑似光源部となるアパーチャ１６に光を照射する。アパーチャ１６は光源部筐体１４に形成される。すなわち、アパーチャ１６は、面状光源２４に対向するように設けられている。
【００３０】
この面状光源２４とアパーチャ１６との間には、面状光源２４からの光を透過する蛍光体フィルム２５が設けられ、また、蛍光体フィルム２５とアパーチャ１６との間には蛍光体フィルム２５を通った光を集光する集光ユニット２６が設けられている。蛍光体フィルム２５は、例えばＬＥＤの青色や黄色の発光色を擬似的な白色光に変換し疑似白色光を出射する。あるいは白色光以外の各種の色の光を出射する。
【００３１】
そして、面状光源２４の背面には取付板２７を介して放熱器１５の熱交換器２８が設けられており、面状光源２４での発熱は、熱交換器２８からヒートパイプ２９により放熱器１５の放熱フィン３０に伝熱され放熱フィン３０で放熱される。また、蛍光体フィルム２５は、光源部筐体１４に取り付けられ、蛍光体フィルム２５の発熱を光源部筐体１４に伝熱して放熱される。
【００３２】
投影ユニット１２は、光源ユニット１１からの光を集光して外部に出射する投影レンズ２２ａ、２２ｂを有し、面状光源２４に点灯電源を供給する電源ユニット１８、面状光源２４を点灯制御する制御回路ユニット１９は、投影ユニット１２の両側面に設けられている。また、面状光源２４の点灯操作を行う操作ユニット２０は、投影ユニット１２の電源ユニット１８が設けられる反対側側面に設けられている。これにより、操作ユニット２０への電源ユニット１８からの発熱の影響を緩和するようにしている。そして、後述するように、光源ユニット１１は投影ユニット１２に対して着脱可能に取り付けられる。
【００３３】
図２は図１の光源部１３の詳細図である。ＬＥＤ光源部１３の面状光源２４は取付板２７に取り付けられ、取付板２７は支持棒３１により光源部筐体１４に支持される。そして、支持棒３１は投影ユニット１２の投影ユニット筐体３２に差し込み式にて着脱可能に取り付けられる。これにより、光源ユニットを構成する光源部筐体１４及び放熱器１５は投影ユニット１２に着脱可能に取り付けられる。
【００３４】
ＬＥＤ光源部１３の面状光源２４の背面には取付板２７を介して放熱器１５の熱交換器２８が設けられており、面状光源２４での発熱は、熱交換器２８からヒートパイプ２９により放熱器１５の放熱フィン３０に伝熱され放熱フィン３０で放熱される。
【００３５】
一方、光源ユニット１１の光源部筐体１４にはアパーチャ１６が設けられており、アパーチャ１６は、面状光源２４からの光を投光する投光開口を有し、投光開口の大きさは面状光源の発光部と略同等または発光部よりも小さくなるように形成されている。また、そのアパーチャ１６の背面には蛍光体フィルム２５が光源部筐体１４に設けられ、蛍光体フィルム２５とアパーチャ１６との間には蛍光体フィルム２５を通った光を集光する集光ユニット２６が設けられている。
【００３６】
蛍光体フィルム２５がアパーチャを有する光源部筐体１４に設けられているので、蛍光体フィルム２５の発熱は光源部筐体１４に伝熱して放熱される。このように、蛍光体フィルム１５と光源部筐体１４とを熱的に結合させ、蛍光体フィルム２５の発熱を光源部筐体１４に伝熱して放熱する。なお、図２では蛍光体フィルム２５は面状光源２４と離間して設けているが、面状光源２４に一体的に配置してもよい。また、また蛍光体フィルム１５と放熱部材である光源部筐体１４の間に放熱グリス等を介在させるとより放熱効果が高くなる。
【００３７】
ＬＥＤ光源部１３の面状光源２４はアパーチャ１６の背面に配置される。面状光源２４は複数個のＬＥＤ１７が平面的に配列されて構成され、疑似光源部となるアパーチャ１６に対して、蛍光体フィルム２５及び集光ユニット２６を介して平面的な光を照射する。蛍光体フィルム２５は、例えば、ＬＥＤ１７の青色や黄色の発光色を擬似的な白色光に変換するものである。また、集光ユニット２６は蛍光体フィルム２５を通った光を投影レンズ２２ａ、２２ｂに照射するように集光するものである。
【００３８】
図３は投影ユニット１２の正面図である。図３に示すように、面状光源２４に点灯電源を供給する電源ユニット１８を投影ユニット１２の左側に配置し、面状光源２４を点灯制御する制御回路ユニット１９を投影ユニット１２の右側に配置する。これにより、光源ユニット１１のＬＥＤ光源部１３の発熱の影響を緩和するようにしている。また、面状光源２４の点灯操作を行う操作ユニット２０は電源ユニット１８の反対側側面つまり制御回路ユニット１９側に設ける。これにより、操作ユニット２０への電源ユニット１８からの発熱の影響を緩和するようにしている。また、電源ユニット１８及び制御回路ユニット１９を投影ユニット１２の両側面に設けたことに伴い、投影レンズ２２ａ、２２ｂの位置調整を行う調整ハンドル２３ａ、２３ｂは投影ユニット１２の底部に配置する。
【００３９】
図４は投影ユニット１２の支持機構の説明図であり、図４（ａ）は投影ユニット１２の長辺を縦方向にして支持した場合の斜視図、図４（ａ）は投影ユニット１２の短辺を縦方向にして支持した場合の斜視図である。
【００４０】
吊下げ型の演出用のスポットライトでは、設置スペースの広さなどによりスポットライトのサイズの要求が異なり、例えば、天井が低い設置スペースの場合では、観客もしくはカメラから照明器具が見えてしまうためにスポットライトの光軸からの縦方向や奥行き幅が小さい器具が求められている。一方、天井が高い設置スペースの場合では、できるだけ多くの照明機材を吊りこむためにスポットライト間のスペースを縮める横幅の小さい器具が求められる。本発明の実施の形態では、投影ユニット１２の両側面に電源ユニット１８及び制御回路ユニット１９を配置したことに伴い、投影ユニット１２の正面形状は、長辺と短辺とを有する長方形となる。
【００４１】
そこで、図４に示すように、投影ユニット１２は左右９０°方向に回動可能に支持し、要求に応じて縦横方向の長さを変化できるようにする。例えば、投影ユニット１２と光源ユニット１１とは固定して取り付けておき、光源ユニット１１の光源部筐体１４にアーム部３３を、投影ユニット１２の出射光の光軸を回転軸として回動自在に取り付ける。この場合、光源部筐体１４に回動案内レール３４を設けて、その回動案内レール３４にアーム部３３を取り付けてアーム部３３を回動させ、アーム部３３の位置を投影ユニット１２の縦横の位置に変化させる。
【００４２】
このように光源ユニット１１と投影ユニットとを支持しスポットライト光軸からの縦横幅が同一でない投影ユニット１２に対し、投影ユニット１２の光軸回転方向に縦横方向の幅を可変できるようにする。これにより、スポットライトの設置場所によって縦横サイズをユーザー側で調整することができ、要求に応じた演出照明が可能となる。
【００４３】
図５は光源ユニット１１のＬＥＤ光源部１３からの発熱を投影ユニット１２の筐体で放熱する場合の放熱機構の説明図である。ＬＥＤ１７を用いたＬＥＤ光源部１３は大きな光量を出すために高電力タイプのＬＥＤが使用されるので、より強力な放熱を行うことが必要となる。そこで、本発明の実施の形態では、ＬＥＤ光源部１３として面状光源２４を採用し、その面状光源２４は投影ユニット１２の近傍に配置されることから、ＬＥＤ光源部１３からの発熱を投影ユニット１２の筐体からも放熱するように構成する。
【００４４】
図５に示すように、投影ユニット１２の上面にヒートパイプ２９を配置し、光源ユニット１１のＬＥＤ光源部１３からの発熱を投影ユニット１２の筐体に伝熱させ、投影ユニット１２の筐体からも放熱させる。図５では、投影ユニット１２の上面にヒートパイプ２９を配置した場合を示したが、投影ユニット１２の側面にヒートパイプ２９を配置するようにしてもよい。
【００４５】
つまり、光源ユニット１１のＬＥＤ光源部１３からの発熱は、ＬＥＤ光源部１３の放熱器１５から放熱されるが、それに加えて、ヒートパイプ２９を用いて発光方向側の投影ユニット１２の筐体にも熱を移動させ、投影ユニット１２の筐体の一部もしくは全体を使って放熱を行う。これにより、ＬＥＤ光源部１３の発光方向の裏側部分の放熱器１５の大型化を抑制できスポットライト全体をよりコンパクトにすることができる。
【００４６】
図６は本発明の実施の形態に係わるスポットライトの他の一例を示す構成図である。この一例は、図１に示した一例に対し、光源ユニット１１の放熱器１５の放熱フィン３０を覆うカバー３５を設けたものである。
【００４７】
図６に示すように、光源ユニット１１の放熱器１５の放熱フィン３０にはカバー３５が設けられ、放熱フィン３０は非露出タイプに形成する。これは、紙吹雪などの進入防止を図るためである。ＬＥＤ光源部２４の放熱器１５にて効率のよい冷却効果を得るためには、放熱フィン３０を剥き出しにした方がよいが、舞台やスタジオでは紙吹雪を使用することがあり、その紙吹雪が放熱フィン３０の間に付着することがある。すなわち、舞台やスタジオ等では紙吹雪などの異物が付着し、放熱効果の低下や熱的に危険な状態となる場合がある。また、スポットライト操作時の衝撃により、放熱フィン３０を破壊損傷する場合がある。
【００４８】
そこで、放熱効果を妨げず異物を侵入させない構造のカバー３５で放熱フィン３０を覆うようにする。図７はカバー３５の一例を示す平面図であり、図７（ａ）は板状部材にスリット状孔が配列されたもの、図７（ｂ）は枠体に網を張ったものである。すなわち、板状部材、枠体や網は、機械的強度と耐熱性とをもった材料にてカバー３５を形成する。これにより、紙吹雪等の異物が放熱フィン３０に混入することを防止し、冷却用の空気が流通するように形成する。これにより、光源ユニット１１の冷却を損なわず冷却フィン３０に異物が混入することを防止できる。
【００４９】
前述したように、本発明の実施の形態では、光源ユニット１１は投影ユニット１２に着脱可能に取り付けられる。そこで、図８や図９に示すように、予め色温度や光形状が異なる複数種類の光源ユニット１１を用意しておき必要に応じて光源ユニット１１の取り替えを行う。
【００５０】
従来においては、スポットライトのＬＥＤ光源部１３の長寿命化を図るために、光源ユニット１１のＬＥＤ光源部１３の交換は行えない構造となっており、そのため、所望の色温度の光を照射したい場合には、色変換フィルタを用いるか、あるいは別のスポットライを用意するかしていた。色変換フィルタを用いた場合には減光してしまい、また、別のスポットライトを用意するにはコスト高となる。
【００５１】
そこで、光源ユニット１１には差し込み式の支持棒３１を設け、投影ユニット１２には支持棒３１が挿入される挿入孔を設けて、光源ユニット１１と投影ユニット１２とを着脱可能に構成する。そして、図８に示すように、色温度やカラーが異なる複数個の光源ユニット１１を用意し必要に応じて取り替える。図８（ａ）は色温度がＡ、図８（ｂ）は色温度がＢ、図８（ｃ）は白色光以外の色Ｃの面状光源を示している。同様に、図９に示すように、光形状が異なる複数種類の光源ユニット１１を用意しておき必要に応じて取り替える。図９（ａ）は円形状の面状光源、図９（ｂ）は四角形状の面状光源、図９（ｃ）は台形形状の面状光源を示している。
【００５２】
これにより、任意の色温度の光源ユニット１１に交換することで所望の光色を得ることができる。また、光源ユニット１１ごと交換することで、面状光源２４と放熱器１５との接続が崩れることがないので放熱効果を維持することができる。また、照射面に適した形状の発光面を持つ光源ユニット１１と交換可能にすることで、無駄なエリアに照射することなく効率的に照明することができる。
【００５３】
以上の説明では、光源ユニット１１を交換するようにしたが、光源ユニットの蛍光体フィルム２５を交換できるようにしてもよい。すなわち、予め複数の色や色温度の異なる蛍光体フィルム２５を用意し、これらの蛍光体フィルム２５と交換することによって色の変化を容易に行うことができる。
【図面の簡単な説明】
【００５４】
【図１】本発明の実施の形態に係わるスポットライトの一例を示す構成図。
【図２】本発明の実施の形態に係わるスポットライトの光源部の詳細図。
【図３】本発明の実施の形態に係わるスポットライトの投影ユニットの正面図。
【図４】本発明の実施の形態に係わるスポットライトの投影ユニットの支持機構の説明図。
【図５】本発明の実施の形態における光源ユニットのＬＥＤ光源部からの発熱を投影ユニットの筐体で放熱する場合の放熱機構の説明図。
【図６】本発明の実施の形態に係わるスポットライトの他の一例を示す構成図。
【図７】本発明の実施の形態における放熱フィンのカバーの一例を示す平面図。
【図８】本発明の実施の形態における光源ユニットの色温度が異なる各種一例の説明図。
【図９】本発明の実施の形態における光源ユニットの光形状が異なる各種一例の説明図。
【図１０】従来のＬＥＤを光源とするスポットライトの構成図。
【符号の説明】
【００５５】
１１…光源ユニット、１２…投影ユニット、１３…ＬＥＤ光源部、１４…光源部筐体、１５…放熱器、１６…アパーチャ、１７…ＬＥＤ、１８…電源ユニット、１９…制御回路ユニット、２０…操作ユニット、２１…カッターユニット、２２…投影レンズ、２３…調整ハンドル、２４…面状光源、２５…蛍光体フィルム、２６…集光ユニット、２７…取付板、２８…熱交換器、２９…ヒートパイプ、３０…放熱フィン、３１…支持棒、３２…投影ユニット筐体、３３…アーム部、３４…回動案内レール、３５…カバー
【図１】
2009004276.tif 000003
【図２】
2009004276.tif 000004
【図３】
2009004276.tif 000005
【図４】
2009004276.tif 000006
【図５】
2009004276.tif 000007
【図６】
2009004276.tif 000008
【図７】
2009004276.tif 000009
【図８】
2009004276.tif 000010
【図９】
2009004276.tif 000011
【図１０】
2009004276.tif 000012